(57)【要約】【課題】窪みの奥行きを十分確保できない取付面においても装着が可能で、作業性にも優れた電源コンセントを提供する。【解決手段】開口端１０１を有する有底の窪み部１０と、壁面と平行に延びる取付枠１２とを備える。窪み部１０は、開口端１０１から底部に向かう面が曲面状に成形されている。底部には、電源コードの差込プラグ５２を差し込むためのプラグ受け部１１が変位自在に設けられている。取付枠１２には、差込プラグ５２から延設されるコード部５３を収容可能な複数の溝１２１と、カバー１３をネジ止め固定することなく係合させる係合機構１２２とが形成されている。【選択図】図１
2014056759.tif 000002
【特許請求の範囲】
【請求項１】
壁面に装着される埋め込み式の電源コンセントであって、
開口端を有する有底の窪み部と、
この窪み部の開口端から外方へ前記壁面と平行に延びる取付枠とを備え、
前記窪み部は、開口端から底部に向かう面の一部又は全部が曲面状に成形されており、
前記底部には、電源コードの差込プラグを差し込むためのプラグ受け部が変位自在に設けられており、
前記取付枠には、それぞれ前記差込プラグから延設されるコード部を収容可能な複数の溝と、これらの溝及び前記窪み部の開口端を開閉自在に蓋するカバーをネジ止め固定することなく係合させる係合機構とが形成されている、
埋め込み式の電源コンセント。
【請求項２】
前記プラグ受け部は、前記窪み部の底部又はその背面側の所定部位に設けられた軸を中心に、前記差込プラグが差し込まれるプラグ差込口を回動させる回動機構を備えており、前記プラグ差込口へ前記差込プラグが差し込まれたときに前記回動機構により当該差込プラグ又は前記コード部の変形が最小となる位置まで自律的に回動する、
請求項１記載の電源コンセント。
【請求項３】
前記差込口が、前記壁面への装着時に、鉛直下方及びその左右斜め下方を指向する、
請求項２記載の電源コンセント。
【請求項４】
前記係合機構は、前記カバーの端部を把持しつつ当該カバーを前記壁面と平行に案内することで前記複数の溝及び開口端を開閉させるカバー把持部を備える、
請求項１、２又は３記載の電源コンセント。
【発明の詳細な説明】
【技術分野】
【０００１】
本発明は、その背面側に電力線が配線された壁等の取付面に装着される埋め込み式の電源コンセントに関する。
【背景技術】
【０００２】
例えば仮設住宅のような狭い部屋では、電源コンセントの数が少なく、設置箇所も予め決められている。そのため、延長コードを使用しようとしても、差込プラグの抜き差しのために、電源コンセントの設置箇所付近に家具等を置けない場合がある。また、長年の使用により、プラグ受け部の電気接点部あるいはその周辺に、ゴミや埃等が侵入し、それが蓄積する場合がある。この状態を放置したままにすると、漏電を起こす虞がある。
【０００３】
このような問題を解決する電源コンセントとして、例えば特許文献１，２，３に開示されたものが知られている。
特許文献１に開示された電源コンセント（コンセントにおける電気設備の工法）では、埋め込み取付枠を差込プラグが収納できるように凹面加工することで、家具等の配置の際に無駄な隙間をつくる必要性を無くしている。また、埋め込み取付枠の外周部周辺にコード保持部やコードガイド溝などを設けた後、カバー（化粧板）をネジ止め固定することで、抜差プラグから延設された電源コードが引き抜かれてしまうことを防いでいる。
【０００４】
また、特許文献２に開示された電源コンセント（プラグの接続構造）では、壁面等の取付け面に埋設するコンセントに、差込プラグを差し込む差込口と、電源コードが取付面に沿うようにして差込プラグを差し込んだときに差込プラグを収容する収容凹部とを形成することにより、取付面からの突出量を、例えば電源コードの厚み程度にまで抑制している。また、差込プラグを差し込んだ後はそれを被覆することにより、ゴミ等の侵入を抑制している。
【０００５】
さらに、特許文献３に開示された電源コンセント（プラグ収納型コンセント）は、プラグ受け部が、未使用時には突出させ（通常の状態）、使用時には差込プラグをさらに強く押して、プラグ収納底まで押し込んだ後、露出した電源コードをキャップで蓋してネジ止め固定している。
【先行技術文献】
【特許文献】
【０００６】
【特許文献１】特開２００２−２０８４６３号公報
【特許文献２】特開平１０−２２８９４２号公報
【特許文献３】特開２０１１−２４３５４７号公報
【発明の概要】
【発明が解決しようとする課題】
【０００７】
近年は、電化製品や延長コードの差込プラグの形状、材質、構造も多種多様となっている。特許文献１の電源コンセントは、回転式プラグやＬ型プラグの使用が前提となっているが、差込プラグは、必ずしもそのような構造のものだけではない。
例えば、エアコンや電気掃除機などの大電力製品の電源コードのように、差込プラグの背面側に固定的に延設され、しかも太くて変形しにくい電源コードを使用すると、特許文献１に開示された電源コンセントでは、窪みに収まりきれず、突出する場合がある。この場合、電源コードを無理に挫屈させながら収容して蓋でネジ止めすると、電源コードを被覆する絶縁材に負荷がかかり、あるいは、絶縁材が変質し、漏電を引き起こすおそれがある。窪みの奥行きを大きくすれば、この問題は解消され得るが、取付面の奥行きを十分に確保できない場合には奥行きの調整で対応することができない。特許文献３に開示された電源コンセントも同様であり、使用時には、差込受け部の高さ（長さ）分の奥行きが壁面側にさらに必要となるので、特許文献１に開示された電源コンセントの場合よりも、取付面の奥行きをより大きく確保できない場合には、対応することができない。
【０００８】
特許文献２に開示された電源コンセントの場合は、差込プラグの形状に合わせて凹部が成形される。そのため、電源コンセントがその差込プラグのみを収容する専用品となり、汎用性に欠けるものとなる。
【０００９】
また、特許文献１乃至３に開示された電源コンセントは、いずれも差込プラグの抜き差しの都度、カバー（蓋）のネジを外したり、再度ネジ止めしたりするので、使用時の作業性が悪いばかりでなく、ネジの取り外し作業のためのスペースを確保しなければならないという問題がある。
さらに、どの電源コンセントも、窪みが角状になっているため、カビ等の汚れが発生し、それが付着した場合に、清掃しにくいという問題がある。
【００１０】
本発明は、上記の問題を解消し、窪みの奥行きを十分確保できない取付面においても装着が可能で、作業性にも優れた電源コンセントを提供することを課題とする。
【課題を解決するための手段】
【００１１】
上記課題を解決する本発明の電源コンセントは、壁面に装着される埋め込み式の電源コンセントであって、開口端を有する有底の窪み部と、この窪み部の開口端から外方へ前記壁面と平行に延びる取付枠とを備えるものである。
窪み部は、開口端から底部に向かう面の一部又は全部が曲面状に成形されており、底部には、電源コードの差込プラグを差し込むためのプラグ受け部が変位自在に設けられており、取付枠には、それぞれ差込プラグから延設されるコード部を収容可能な複数の溝と、これらの溝及び窪み部の開口端を開閉自在に蓋するカバーをネジ止め固定することなく係合させる係合機構とが形成されていることを特徴とする。
【００１２】
ある実施の態様では、プラグ受け部は、窪み部の底部又はその背面側の所定部位に設けられた軸を中心に、差込プラグが差し込まれるプラグ差込口を回動させる回動機構を備えており、プラグ差込口へ前記差込プラグが差し込まれたときに回動機構により当該差込プラグ又はコード部の変形が最小となる位置まで自律的に回動する。
差込口は、例えば、壁面への装着時に、鉛直下方及びその左右斜め下方を指向する。係合機構は、例えば、カバーの端部を把持しつつ当該カバーを壁面と平行に案内することで複数の溝及び開口端を開閉させるカバー把持部を備える。
【発明の効果】
【００１３】
本発明の電源コンセントは、差込プラグは窪み部に収容され、コード部は取付部の溝に収容されるので、壁面からの電源コードの突起がなくなる。その際、差込プラグ等を収容した状態で、係合機構によりネジ止めすることなくカバーで蓋することができるので、従前のようにネジ止め作業のためのスペースを確保する必要がない。
また、窪み部の開口端から底部に向かう面の一部又は全部が曲面状に成形されているので、装飾的に優れるばかりでなく、カビ等が付着しても、それを容易に清掃することができるという効用がある。底部には、プラグ受け部が変位自在に設けられているので、差込プラグが差込時に無理のない姿態となり、コード部等にかかるストレスが軽減される。
【図面の簡単な説明】
【００１４】
【図１】第１実施形態の電源コンセントの外観斜視図。
【図２】（ａ）はプラグ受け部の回動機構の正面図、（ｂ）は断面図。
【図３】カバーで蓋されている状態を示した外観斜視図。
【図４】電源コンセントの使用時の状態を示す説明図（上方）。
【図５】電源コンセントの使用時の状態を示す説明図（側方）。
【図６】第２実施形態に係る電源コンセントの外観斜視図。
【図７】差込プラグをプラグ受け部に差し込んだ状態を示す図。
【図８】カバーを係合させたときの状態を示す図。
【図９】第３実施形態に係る電源コンセントの外観斜視図。
【図１０】電源コンセントの使用状態を示す断面図。
【図１１】電源コンセントの変形例を示す外観斜視図。
【発明を実施するための形態】
【００１５】
以下、本発明の実施の形態を説明する。
［第１実施形態］
図１は、第１実施形態の電源コンセントの外観斜視図である。
この電源コンセント１は、部屋の壁面の所定部位に設けられるコンセント取付孔に装着されるものである。コンセント取付孔に装着されている既存の電源コンセントと交換して装着することもできる。壁面の裏側には商用電力線が敷設されており、この電源コンセント１を通じて電化製品の電源コード５０に商用電力が供給できるようになっている。
電源コード５０は、１対の電気接点が突出する差込口５１が形成された差込プラグ５２と、この差込プラグ５２の背面側（つまり差込口５１の反対側）から延設されたコード部５３とを有する一般的なものであるが、回転式プラグやＬ型プラグを有するものであっても構わない。
【００１６】
電源コンセント１は、壁面のコンセント取付孔に押し込んで部屋側に収容空間を形成するための窪み部１０を有する。窪み部１０は、例えば絶縁性の硬質樹脂を略半楕円状に成形したものである。すなわち、開口端１０１が略楕円形となり、この開口端１０１から底部に向かう面が曲面（Ｒ面）となっている。底部自体は略平面であり、この略平面の部分に、差込プラグ５２の電気接点を差し込むためのプラグ受け部１１が設けられている。
【００１７】
プラグ受け部１１は、上述した商用電力線に接続される１対の電気接点が埋め込まれたプラグ受けパネル１１１と、このプラグ受けパネル１１１の変位機構、例えばプラグ受けパネル１１１の中央部を軸として左右約３０度程度、回動可能にする回動機構とを備えている。
【００１８】
回動機構を実現する態様はさまざまであるが、一例を示せば、図２（ａ）に例示されるように、窪み部１０の底部１１７２に、配線孔１１２２，支持孔１１２３，ネジ孔１１７１を形成するとともに、図２（ｂ）に例示されるように、プラグ受けパネル１１１の背面に、電気接点（雌）１１１２，ネジ孔１１１３，回動ガイド１１１７を形成することにより実現することができる。ネジ孔１１７１は、プラグ受けパネル１１１のネジ孔１１１３に対応する部位に形成される。配線孔１１２２は、プラグ受けパネル１１１の電気接点を商用電力線との接続部位に導くものである。支持孔１１２３は、プラグ受けパネル１１１の回動を支持する孔である。
【００１９】
プラグ受けパネル１１１を窪み部１０に取り付ける際には、電気接点１１１２を配線孔１１２２を貫通させ、回動ガイド１１１７を支持孔１１２３を貫通させるとともに、プラグ受けパネル１１１のネジ孔１１１３及び窪み部１０のネジ孔１１７１にネジ１１１４を貫通させ、緩締固定する。
なお、回動ガイド１１１７は、自由端としても良いし、ネジ止めにより緩締固定しても良い。
【００２０】
図１に戻り、電源コンセント１は、壁面に取り付けるための取付枠１２を有する。この取付枠１２は、窪み部１０の開口端１０１から外方に壁面と平行に延びる一種のフランジであり、その外周が、略矩形状に成形されている。その厚みは約１［ｃｍ］前後である。取付枠１２は、窪み部１０と一体に成形・製造しても良く、独立に製造した後に窪み部１０と接合するようにしても良い。
【００２１】
取付枠１２を壁面に装着するときは、既存のコンセント取付孔のサイズよりも大きな取付フレーム（図示省略）を壁側の背面に配置し、この取付フレームと取付枠１２とを壁面を挟んで、例えば４個の取付ネジ１２５で固定すれば良い。
【００２２】
取付枠１２の外周には、電源コード５０のコード部５３を収容可能な複数の溝１２１が形成されている。これらの溝１２１は、電源コンセント１の装着時に、窪み部１０から鉛直下方、鉛直斜め下方に向かうように形成される。これは、ゴミや埃の進入を抑制するためである。
【００２３】
取付枠１２には、また、複数の溝１２１及び窪み部１０の開口端１０１を蓋するカバー１３を、離脱自在に係合するための係合機構１２２が設けられている。
カバー１３は約１［ｍｍ］程度の薄板状の化粧板であり、壁面のデザインに合わせて任意に選定することができる。また、適宜、交換することができる。カバー１３の形状は、取付枠１２の外周とほぼ同じであるが、電源コンセント１の装着時に上部となる位置が鉤状に成形されていることが望ましい。つまり、その断面が逆Ｌ字状に成形されていることが望ましい。これは、窪み部１０へのゴミや埃の侵入を抑制するためである。
【００２４】
係合機構１２２は、例えば、図１に例示されるように、カバー１３の端部を把持しつつ当該カバー１３を壁面と平行の方向に案内するカバー把持部を取付枠１２の外周角に４個設ける。あるいは、図示しないが、溝を有するレールを取付枠１２の外周に設けることにより実現することもできる。図示の例では、カバー１３を、取付枠１２の上方から水平に挿入することで、複数の溝１２１及び開口端１０１を開閉自在に蓋する。
【００２５】
図３は、カバー１３で蓋されている状態を示している。これにより、従来の電源コンセントのように、カバー１３をネジ止め固定する必要がなくなるので、作業性（使用感）が向上し、電源コンセント１の前にスペースを設ける必要もなくなるので、部屋の有効活用が可能となる。
【００２６】
電源コンセント１の使用時の状態を図４及び図５に示す。図４は壁面の上方から電源コンセント１の状態を見た断面図、図５は壁面の側方から電源コンセント１の状態を見た断面図である。
【００２７】
取付枠１２は、取付ネジ１２５で壁面のフレームに固定されている。カバー１３は、係合機構１２２により係合されている。プラグ受けパネル１１１は、ネジ１１１４により、窪み部１０の底部に緩締され、回動ガイド１１１７の先端は自由端となっている。電源コード５０の差込プラグ５２の電気接点１１１１は、プラグ受け部１１に差し込まれる。電気接点１１１１の差込先は、プラグ受けパネル１１１の電気接点１１１２である。
コード部５３は、複数の溝１２１のうち最短で届く溝に収容される。このとき、プラグ受け部１１の回動機構が作用して、差込プラグ５２又はコード部５３の始端（差込プラグ５２の付け根の部分）の変形が最小となるまで、プラグ受け部１１が自律的に回動する。この状態で、カバー１３で蓋される。
電源コード５０を取り外すときは、カバー１３を上方にスライドさせて開き、プラグ５２をプラグ受け部１１より抜く。その後、カバー１３を閉じて、次回の使用に備える。
【００２８】
このような電源コンセント１によれば、以下の効果が得られる。
（１）取付枠１２に形成される複数の溝１２１が、壁面への装着時に鉛直下方及びその左右斜め下方を指向するので、使用中に、ゴミや埃が溝の内壁に遮られて窪み部１０に侵入しにくくなる。
（２）窪み部１０の開口端１０１から底部１０２に向かう面が曲面なので、仮に、ゴミ、埃等が侵入し、あるいはカビが付着した場合においても、掃除しやすくなる。これにより、漏電等の発生を確実に防止することができる。
（３）電源コード５０、特に差込プラグ５２のサイズ、材質、構造に応じて最短となる溝１２１にコード部５３を案内し、コード部５３を窪み部１０の曲面に沿って収容することができ、さらに、プラグ受け部１１が、電源コード５０の変形が最小になるまで自律的に回動するので、電源コード５０の姿態が自らの変形を抑制するように変位し、該変形に伴う事故の発生が抑制される。
（４）使用時には、差込プラグ５２を窪み部５０のプラグ受け部１１に差し込み、コード部５３を溝１２１に収容した状態で、カバー１３を係合機構１２２に係合（スライド）させ蓋するだけなので、電源コンセント１の前方に必ずしも十分なスペースがなくとも、差込プラグ５２の抜き差しが容易であり、作業性（使用感）が従来の電源コンセントよりも格段に向上する。
（５）カバー１３が取付枠１２から離脱自在となっているので、壁面が白であれば、その色に合わせたものを付け替えることで、インテリアデザインの改善にも貢献する。
【００２９】
なお、この電源コンセント１は、窪み部１０の開口端から底部に向かうすべての面を曲面にしているが、常にそのようにしなければならないというものではない。例えば、コード部５３を収容する余地の無い部分については、壁面に対して所定角度を持つ板状とし、底部との境を角部にしても良い。
【００３０】
［第２実施形態］
図６は、本発明の第２実施形態に係る電源コンセントの外観斜視図である。この電源コンセント２は、プラグ受け部２１の構成が第１実施形態の電源コンセント１のものと異なる。そのため、図１〜図５に示した第１実施形態の電源コンセント１と同じ構成要素については同一符号を付してその説明を省略する。カバー１３についても図示及びその説明を省略する。
【００３１】
図７は、電源コンセント２において、差込プラグ５２をプラグ受け部２１（プラグ受け面２１１）に差し込んだ状態を示す図である。また、差込プラグ５２を差し込み、コード部５３を直近の溝１２１に収容した後、カバー１３を係合させたときの状態を図８に示す。
電源コンセント２のプラグ受け部２１は、電気接点が差し込まれるプラグ受け面２１１を有するソケット２１２と、このソケット２１２を、壁面と平行、すなわち取付枠１２と平行に設けられた軸を中心として回動させる回動機構２１３とを含んで構成される。
【００３２】
この実施形態の電源コンセント２は、差込プラグ５２のサイズ又はコード部５３の硬度に応じて、プラグ受け部２１（プラグ受け面２１１）が、鉛直方向に対して左右方向に自律的に傾く。これにより、差込プラグ５２及びコード部５３に加わるストレスを緩和することができる。そのため、電源ケーブルのケーブルが変形しにくい場合（大容量の電源の場合）であっても、ストレスのかからない最適な姿態で差込プラグ５２をプラグ受け部２１に挿入させた後、差込プラグ５２を窪み部１０に収容させ、コード部５３を取付枠１２の溝１２１に収容させて、カバー１３で蓋した状態で使用することができる。
【００３３】
また、プラグ受け部２１が傾く分、第１実施形態の電源コンセント１よりも窪み部１０を浅くすることができる。その他の効果については、第１実施形態の電源コンセント１の場合と同様である。
【００３４】
［第３実施形態］
図９は、本発明の第３実施形態に係る電源コンセントの外観斜視図である。また、図１０は、この電源コンセントの使用状態を示す断面図である。
この電源コンセント３は、窪み部３０の形状及びプラグ受け部３１の構成が第１実施形態の電源コンセント１のものと異なる。そのため、図１〜図５に示した第１実施形態の電源コンセント１と同じ構成要素については同一符号を付してその説明を省略する。カバー１３についても省略する。
【００３５】
この実施形態の電源コンセント３のプラグ受け部３１は、電気接点が差し込まれるプラグ受け面３１１を有するソケット３１２と、このソケット３１２を、壁面と直交する方向に設けられた軸を中心として回動させる回動機構３１３とを含んで構成される。プラグ受け部３１は、また、窪み３０の中央部よりも上方に設けられる。
回動機構３１３は、窪み部３０の底面に孔を設けるとともに、ソケット３１２の背面側にネジを突出させ、このネジを窪み部３０の孔を貫通させて、その背面側でボルトで緩締固定すれば良い。
【００３６】
また、この電源コンセント３の窪み部３０は、壁面への装着時に下方となる部位だけを曲面状にし、上方の部分は、壁面に対して所定角度を持つ板状とし、底部との境を角部にしている。これは、ゴミや埃が蓄積するのは当該下部の部分だけであること、プラグ受け部３１が窪み部３０の中央よりも上方に設けられているため、当該上方の部分はコード部５３を案内する必要がないこと、及び、窪み部３０の底部を平面にすることで、回動機構３１３の取付を容易にすることが主たる理由である。
但し、必ずしもそのようにしなければならないものではなく、図１及び図５に示した電源コンセント１，２と同様、開口端から底部に向かうすべての面を曲面にしても良い。
【００３７】
［変形例］
本発明の電源コンセントは、第１ないし第３実施形態のほかに、種々の態様の変形例が可能である。例えば、第１ないし第３実施形態では、カバー１３を壁面に対して平行にスライドさせる例を説明したが、図１１に示すように、取付枠１２に設けられた係合機構１２８に適合する孔を設け、この係合機構１２８に係止させる構造にしても良い。
また、第１ないし第３実施形態では、取付枠１２が矩形状である場合の例を説明したが、部屋の壁面の所定部位に設けられるコンセント取付孔に装着可能な形状であれば、どのような形状のものであっても良い。例えば、楕円形、円形、矩形以外の多角形であっても良い。この場合のカバーは、窪み部の形状に適合する形状のものとする。
また、例えば図１の窪み部１０は、未使用時、例えば製品として流通させるときは、折り畳まれた形状、例えば蛇腹状とし、壁面のコンセント取付孔へ押し込んだときに、曲面状になるようにしても良い。このような構造の電源コンセントは、未使用時の窪み部が薄くなるので、流通時の嵩張りを抑制することができる。  
【符号の説明】
【００３８】
１，２，３・・・電源コンセント、１０，３０・・・窪み部、１０１・・・開口端、１１，２１，３１・・・プラグ受け部、１１１・・・プラグ受けパネル、１１２，２１３，３１３・・・回動機構、１１１１，１１１２・・・・電気接点、１１１７・・・回動ガイド、１１１３、１１７１・・・ネジ孔、１１１４・・・緩締固定用のネジ、１１２２・・・配線孔、１１２３・・・支持孔、１１７２・・・底部、１２・・・取付枠、１２５・・・取付ネジ、１２１・・・溝、１３，４０・・・カバー、１２２，１２８・・・係合機構、２１１，３１１・・・プラグ受け面、２１２，３１２・・・ソケット、５０・・・電源コード、５１・・・差込口、５２・・・差込プラグ、５３・・・コード部。
【図１】
2014056759.tif 000003
【図２】
2014056759.tif 000004
【図３】
2014056759.tif 000005
【図４】
2014056759.tif 000006
【図５】
2014056759.tif 000007
【図６】
2014056759.tif 000008
【図７】
2014056759.tif 000009
【図８】
2014056759.tif 000010
【図９】
2014056759.tif 000011
【図１０】
2014056759.tif 000012
【図１１】
2014056759.tif 000013
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
壁面に装着される埋め込み式の電源コンセントであって、
開口端を有する有底の窪み部と、
この窪み部の開口端から外方へ前記壁面と平行に延びる取付枠とを備え、
前記窪み部は、開口端から底部に向かう面のうちゴミ又は埃が蓄積する部分が凹曲面状に成形されており、
前記底部には、電源コードの差込プラグを差し込むためのプラグ受け部が変位自在に設けられており、
前記取付枠には、それぞれ前記差込プラグを、前記壁面への装着時に当該差込プラグから延設されるコード部を収容可能な複数の鉛直下方及びその左右斜め下方となる方向に直線的に延びる溝と、これらの溝及び前記窪み部の開口端を開閉自在に蓋するカバーをネジ止め固定することなく係合させる係合機構とが形成されている、
埋め込み式の電源コンセント。
【請求項２】
前記プラグ受け部は、前記窪み部の底部又はその背面側の所定部位に設けられた軸を中心に、前記差込プラグが差し込まれるプラグ差込口を回動させる回動機構を備えており、前記プラグ差込口へ前記差込プラグが差し込まれたときに前記回動機構により当該差込プラグ又は前記コード部の変形が最小となる位置まで自律的に回動する、
請求項１記載の電源コンセント。
【請求項３】
前記差込口が、前記壁面への装着時に、鉛直下方及びその左右斜め下方を指向する、
請求項２記載の電源コンセント。
【請求項４】
前記係合機構は、前記カバーの端部を把持しつつ当該カバーを前記壁面と平行に案内することで前記複数の溝及び開口端を開閉させるカバー把持部を備える、
請求項１、２又は３記載の電源コンセント。
【手続補正２】
【補正対象書類名】明細書
【補正対象項目名】００１１
【補正方法】変更
【補正の内容】
【００１１】
上記課題を解決する本発明の電源コンセントは、壁面に装着される埋め込み式の電源コンセントであって、開口端を有する有底の窪み部と、この窪み部の開口端から外方へ前記壁面と平行に延びる取付枠とを備えるものである。
窪み部は、開口端から底部に向かう面のうちゴミ又は埃が蓄積する部分が凹曲面状に成形されており、前記底部には、電源コードの差込プラグを差し込むためのプラグ受け部が変位自在に設けられており、前記取付枠には、それぞれ前記差込プラグを、前記壁面への装着時に当該差込プラグから延設されるコード部を収容可能な複数の鉛直下方及びその左右斜め下方となる方向に直線的に延びる溝と、これらの溝及び前記窪み部の開口端を開閉自在に蓋するカバーをネジ止め固定することなく係合させる係合機構とが形成されていることを特徴とする。
【手続補正３】
【補正対象書類名】明細書
【補正対象項目名】００１３
【補正方法】変更
【補正の内容】
【００１３】
本発明の電源コンセントは、差込プラグは窪み部に収容され、さらに取付枠の溝に収容されるので、壁面からの電源コードの突起がなくなる。その際、差込プラグ等を収容した状態で、係合機構によりネジ止めすることなくカバーで蓋することができるので、従前のようにネジ止め作業のためのスペースを確保する必要がない。
また、窪み部の開口端から底部に向かう面の一部又は全部が凹曲面状に成形されているので、装飾的に優れるばかりでなく、カビ等が付着しても、それを容易に清掃することができるという効用がある。底部には、プラグ受け部が変位自在に設けられているので、差込プラグが差込時に無理のない姿態となり、コード部等にかかるストレスが軽減される。